(57)【特許請求の範囲】
【請求項１】
自局の識別情報に応じた系列の同期信号を周期的なリソースに割り当て、前記同期信号の系列に応じたリソースに特定信号を割り当てた無線信号を送信する送信局と、
前記送信局によって送信された無線信号から前記同期信号を検出し、検出した同期信号の系列に基づいて前記特定信号が割り当てられたリソースを特定し、特定したリソースに基づいて前記無線信号から前記特定信号を検出する受信局と、
を含むことを特徴とする通信システム。
【請求項２】
前記送信局は、前記同期信号の系列に応じたシフト量によって前記無線信号のサブフレームをシフトさせることにより、前記同期信号の系列に応じたリソースに特定信号を割り当て、
前記受信局は、前記検出した同期信号の系列に基づいて前記シフト量を特定し、特定したシフト量に基づいて前記特定信号が割り当てられたリソースを特定する、
ことを特徴とする請求項１に記載の通信システム。
【請求項３】
前記特定信号は物理報知チャネルであることを特徴とする請求項２に記載の通信システム。
【請求項４】
前記送信局は、前記同期信号の系列に応じたサブフレームに前記特定信号を割り当て、
前記受信局は、前記検出した同期信号の系列に基づいて、前記特定信号が割り当てられたサブフレームを特定し、特定したサブフレームから前記特定信号を検出する、
ことを特徴とする請求項１に記載の通信システム。
【請求項５】
前記特定信号はセル固有参照信号であることを特徴とする請求項４に記載の通信システム。
【請求項６】
自局の識別情報に応じた系列の同期信号を周期的なリソースに割り当て、前記識別情報に応じたリソースに特定信号を割り当てた無線信号を送信する送信局と、
前記送信局によって送信された無線信号から前記同期信号を検出し、検出した同期信号の系列に基づいて前記送信局の識別情報を特定し、特定した識別情報に基づいて前記特定信号が割り当てられたリソースを特定し、特定したリソースに基づいて前記無線信号から前記特定信号を検出する受信局と、
を含むことを特徴とする通信システム。
【請求項７】
自局の識別情報に応じた系列の同期信号を周期的なリソースに割り当て、前記同期信号の系列に応じたリソースに特定信号を割り当てる割当部と、
前記割当部による割当結果に基づく無線信号を送信する送信部と、
を備えることを特徴とする送信局。
【請求項８】
送信局の識別情報に応じた系列の同期信号を周期的なリソースに割り当て、前記同期信号の系列に応じたリソースに特定信号を割り当てた無線信号を送信する前記送信局からの前記無線信号を受信する受信部と、
前記受信部によって受信された無線信号から前記同期信号を検出する第１検出部と、
前記第１検出部によって検出された同期信号の系列に基づいて前記特定信号が割り当てられたリソースを特定する特定部と、
前記特定部によって特定されたリソースに基づいて前記無線信号から前記特定信号を検出する第２検出部と、
を備えることを特徴とする受信局。
【請求項９】
送信局により、前記送信局の識別情報に応じた系列の同期信号を周期的なリソースに割り当て、前記同期信号の系列に応じたリソースに特定信号を割り当てた無線信号を送信し、
受信局により、前記送信局によって送信された無線信号から前記同期信号を検出し、検出した同期信号の系列に基づいて前記特定信号が割り当てられたリソースを特定し、特定したリソースに基づいて前記無線信号から前記特定信号を検出する、
ことを特徴とする通信方法。
【発明の詳細な説明】
【技術分野】
【０００１】
本発明は、通信システム、送信局、受信局および通信方法に関する。
【背景技術】
【０００２】
従来、ブランクサブフレームの位置と、マクロセルとピコセルの間の送信タイミングのシフト量と、を関連付ける技術が知られている（たとえば、下記特許文献１参照。）。また、ピコセルの同期信号およびＰＢＣＨ（Ｐｈｙｓｉｃａｌ  Ｂｒｏａｄｃａｓｔ  ＣＨａｎｎｅｌ：物理報知チャネル）の送信サブフレームを、マクロセルのＭＢＳＦＮ（ＭＢＭＳ  Ｓｉｎｇｌｅ  Ｆｒｅｑｕｅｎｃｙ  Ｎｅｔｗｏｒｋ）の送信領域に時間シフトさせる技術が知られている（たとえば、下記特許文献２参照。）。
【先行技術文献】
【特許文献】
【０００３】
【特許文献１】特開２０１１−２２３１１３号公報
【特許文献２】特開２０１１−２２３１１４号公報
【発明の概要】
【発明が解決しようとする課題】
【０００４】
しかしながら、上述した従来技術では、ＰＢＣＨなどの特定信号が格納されたリソースを端末へ通知するために、端末へ送信される制御情報が多くなるという問題がある。
【０００５】
１つの側面では、本発明は、制御情報の削減を図ることができる通信システム、送信局、受信局および通信方法を提供することを目的とする。
【課題を解決するための手段】
【０００６】
上述した課題を解決し、目的を達成するため、本発明の一側面によれば、送信局により、前記送信局の識別情報に応じた系列の同期信号を周期的なリソースに割り当て、前記同期信号の系列に応じたリソースに特定信号を割り当てた無線信号を送信し、受信局により、前記送信局によって送信された無線信号から前記同期信号を検出し、検出した同期信号の系列に基づいて前記特定信号が割り当てられたリソースを特定し、特定したリソースに基づいて前記無線信号から前記特定信号を検出する通信システム、送信局、受信局および通信方法が提案される。
【０００７】
また、本発明の別の側面によれば、送信局により、前記送信局の識別情報に応じた系列の同期信号を周期的なリソースに割り当て、前記識別情報に応じたリソースに特定信号を割り当てた無線信号を送信し、受信局により、前記送信局によって送信された無線信号から前記同期信号を検出し、検出した同期信号の系列に基づいて前記送信局の識別情報を特定し、特定した識別情報に基づいて前記特定信号が割り当てられたリソースを特定し、特定したリソースに基づいて前記無線信号から前記特定信号を検出する通信システム、送信局、受信局および通信方法が提案される。
【発明の効果】
【０００８】
本発明の一側面によれば、制御情報の削減を図ることができるという効果を奏する。
【図面の簡単な説明】
【０００９】
【図１Ａ】図１Ａは、実施の形態１にかかる通信システムの一例を示す図である。
【図１Ｂ】図１Ｂは、図１Ａに示した通信システムにおける信号の流れの一例を示す図である。
【図２Ａ】図２Ａは、実施の形態２にかかる各基地局から送信される無線信号の一例を示す図である。
【図２Ｂ】図２Ｂは、サブフレーム番号の補正の一例を示す図である。
【図３】図３は、実施の形態２にかかる基地局の一例を示す図である。
【図４】図４は、基地局のハードウェア構成の一例を示す図である。
【図５】図５は、実施の形態２にかかる端末の一例を示す図である。
【図６】図６は、端末のハードウェア構成の一例を示す図である。
【図７Ａ】図７Ａは、実施の形態２にかかる基地局による処理の例１を示すフローチャートである。
【図７Ｂ】図７Ｂは、実施の形態２にかかる基地局による処理の例２を示すフローチャートである。
【図７Ｃ】図７Ｃは、実施の形態２にかかる基地局による処理の例３を示すフローチャートである。
【図８Ａ】図８Ａは、実施の形態２にかかる端末による処理の例１を示すフローチャートである。
【図８Ｂ】図８Ｂは、実施の形態２にかかる端末による処理の例２を示すフローチャートである。
【図８Ｃ】図８Ｃは、実施の形態２にかかる端末による処理の例３を示すフローチャートである。
【図９】図９は、実施の形態３にかかる各基地局から送信される無線信号の一例を示す図である。
【図１０】図１０は、実施の形態３にかかる基地局の一例を示す図である。
【図１１】図１１は、実施の形態３にかかる端末の一例を示す図である。
【図１２Ａ】図１２Ａは、実施の形態３にかかる基地局による処理の例１を示すフローチャートである。
【図１２Ｂ】図１２Ｂは、実施の形態３にかかる基地局による処理の例２を示すフローチャートである。
【図１２Ｃ】図１２Ｃは、実施の形態３にかかる基地局による処理の例３を示すフローチャートである。
【図１３Ａ】図１３Ａは、実施の形態３にかかる端末による処理の例１を示すフローチャートである。
【図１３Ｂ】図１３Ｂは、実施の形態３にかかる端末による処理の例２を示すフローチャートである。
【図１３Ｃ】図１３Ｃは、実施の形態３にかかる端末による処理の例３を示すフローチャートである。
【図１４】図１４は、系列とセルグループとの関係の一例を示す図である。
【発明を実施するための形態】
【００１０】
以下に図面を参照して、本発明にかかる通信システム、送信局、受信局および通信方法の実施の形態を詳細に説明する。
【００１１】
（実施の形態１）
（実施の形態１にかかる通信システム）
図１Ａは、実施の形態１にかかる通信システムの一例を示す図である。図１Ｂは、図１Ａに示した通信システムにおける信号の流れの一例を示す図である。図１Ａ，図１Ｂに示すように、実施の形態１にかかる通信システム１００は、送信局１１０と、送信局１２０と、受信局１３０と、を含む。受信局１３０は、たとえば、送信局１１０に接続し、送信局１１０との間で無線通信を行う。
【００１２】
送信局１１０，１２０のそれぞれは、割当部１１１と、送信部１１２と、を備える。割当部１１１は、自局の識別情報に応じた系列の同期信号を周期的な時間リソースに割り当てる。識別情報は、たとえばセルＩＤである。同期信号の系列は、たとえば同期信号の波形パターンである。時間リソースは、たとえばサブフレームである。
【００１３】
また、割当部１１１は、同期信号の系列に応じた時間リソースに特定信号を割り当てる。そして、割当部１１１は、割当結果を送信部１１２へ通知する。送信部１１２は、割当部１１１から通知された割当結果に基づく無線信号を送信する。
【００１４】
これにより、送信局１１０，１２０のそれぞれは、自局の識別情報に応じた系列の同期信号を周期的な時間リソースに割り当て、同期信号の系列に応じた時間リソースに特定信号を割り当てた無線信号を送信することができる。このため、送信局１１０，１２０から送信される各無線信号において、特定信号が格納された時間リソースを互いにずらし、特定信号の衝突を抑えることができる。
【００１５】
受信局１３０は、受信部１３１と、第１検出部１３２と、特定部１３３と、第２検出部１３４と、を備える。受信部１３１は、送信局１１０からの無線信号を受信する。そして、受信部１３１は、受信した信号（電気信号）を第１検出部１３２および第２検出部１３４へ出力する。
【００１６】
第１検出部１３２は、受信部１３１から出力された信号から同期信号を検出することによりセルサーチを行う。たとえば、第１検出部１３２は、あらかじめ記憶された同期信号の複数の系列を対象として、受信部１３１から出力された信号に対象の系列の同期信号が含まれているか否かを判定することによって同期信号を検出する。そして、第１検出部１３２は、検出した同期信号を特定部１３３へ出力する。
【００１７】
特定部１３３は、第１検出部１３２から出力された同期信号の系列に基づいて、送信局１１０によって特定信号が割り当てられた時間リソースを特定する。上記のように、特定信号を割り当てる時間リソースは同期信号の系列に応じて決定されているため、同期信号の系列から特定信号が割り当てられた時間リソースを特定することができる。特定部１３３は、特定した時間リソースを第２検出部１３４へ通知する。
【００１８】
第２検出部１３４は、特定部１３３から通知された時間リソースに基づいて、受信部１３１から出力された信号から特定信号を検出する。そして、第２検出部１３４は、検出した特定信号を出力する。
【００１９】
このように、通信システム１００においては、送信局１１０が特定信号を格納する時間リソースを同期信号の系列に対応付けることができる。これにより、特定信号を格納する時間リソースを受信局１３０へ通知しなくても、受信局１３０は、検出した同期信号の系列から特定信号が格納された時間リソースを特定し、特定信号を検出することができる。
【００２０】
したがって、送信局１１０，１２０が特定信号を格納する時間リソースをずらして特定信号の衝突を抑えつつ、特定信号を格納する時間リソースを受信局１３０へ通知するための制御情報を不要にすることができる。このため、受信局１３０へ送信する制御情報の削減を図ることができる。たとえば、特定信号を格納する時間リソースを受信局１３０へ通知するための制御信号を仕様に追加しなくても、受信局１３０が特定信号を検出することができる。
【００２１】
＜変形例＞
または、送信局１１０，１２０の割当部１１１は、自局の識別情報に応じた時間リソースに特定信号を割り当ててもよい。これにより、送信局１１０，１２０のそれぞれは、自局の識別情報に応じた系列の同期信号を周期的な時間リソースに割り当て、同期信号の系列に応じた時間リソースに特定信号を割り当てた無線信号を送信することができる。このため、送信局１１０，１２０から送信される各無線信号において、特定信号が格納された時間リソースを互いにずらし、特定信号の衝突を抑えることができる。
【００２２】
この場合は、受信局１３０の特定部１３３は、同期信号の系列に基づいて送信局１１０の識別情報を特定し、特定した識別情報に基づいて、送信局１１０によって特定信号が割り当てられた時間リソースを特定する。上記のように、特定信号を割り当てる時間リソースは送信局１１０の識別情報に応じて決定されているため、送信局１１０の識別情報から特定信号が割り当てられた時間リソースを特定することができる。
【００２３】
このように、通信システム１００において、送信局１１０が特定信号を格納する時間リソースを送信局１１０の識別情報に対応付けてもよい。これにより、特定信号を格納する時間リソースを受信局１３０へ通知しなくても、受信局１３０は検出した同期信号の系列から送信局１１０の識別情報を特定し、特定した識別情報から特定信号が格納された時間リソースを特定し、特定信号を検出することができる。
【００２４】
したがって、送信局１１０，１２０が特定信号を格納する時間リソースをずらして特定信号の衝突を抑えつつ、特定信号を格納する時間リソースを受信局１３０へ通知するための制御情報を不要にすることができる。このため、受信局１３０へ送信する制御情報の削減を図ることができる。たとえば、特定信号を格納する時間リソースを受信局１３０へ通知するための制御信号を仕様に追加しなくても、受信局１３０が特定信号を検出することができる。
【００２５】
（実施の形態２）
（実施の形態２にかかる各基地局から送信される無線信号）
図２Ａは、実施の形態２にかかる各基地局から送信される無線信号の一例を示す図である。図２Ａに示す基地局２１１〜２１３は、たとえば、互いに重複するセルエリアを形成する各基地局である。基地局２１１は、たとえば広域のセルを形成するマクロ基地局である。基地局２１２，２１３は、図１Ａ，図１Ｂに示した送信局１１０，１２０に対応し、基地局２１１のセル内に設けられたスモールセル、ピコセルまたはフェムトセルである。無線信号２２１〜２２３に接続する端末（ＵＥ：Ｕｓｅｒ  Ｅｑｕｉｐｍｅｎｔ）は、図１Ａ，図１Ｂに示した受信局１３０に対応する。
【００２６】
無線信号２２１〜２２３は、それぞれ基地局２１１〜２１３から送信される無線信号である。無線信号２２１〜２２３のそれぞれは、ＤＬ＿ＣＣＨ２０１（ＤｏｗｎＬｉｎｋ＿Ｃｏｎｔｒｏｌ  Ｃｈａｎｎｅｌ：下りリンク制御チャネル）と、ＰＤＳＣＨ２０２（Ｐｈｙｓｉｃａｌ  Ｄｏｗｎｌｉｎｋ  Ｓｈａｒｅｄ  Ｃｈａｎｎｅｌ：物理下りリンク共有チャネル）と、ＭＢＳＦＮ２０３（Ｎｏ  Ｄａｔａ）と、を含む。
【００２７】
また、無線信号２２１〜２２３のそれぞれにおいて、「Ｓ」は同期信号を示し、「Ｂ」はＰＢＣＨを示す。同期信号には、たとえばＰＳＳ（Ｐｒｉｍａｒｙ  Ｓｙｎｃｈｒｏｎｉｚａｔｉｏｎ  Ｓｉｇｎａｌ：プライマリ同期信号）およびＳＳＳ（Ｓｅｃｏｎｄａｒｙ  Ｓｙｎｃｈｒｏｎｉｚａｔｉｏｎ  Ｓｉｇｎａｌ：セカンダリ同期信号）が含まれる。ＰＳＳおよびＳＳＳは、端末がセルサーチを行うための信号である。端末は、ＰＳＳおよびＳＳＳの系列を利用して、セルとの時間同期および周波数同期と、セルＩＤの取得と、を実施する。また、無線信号２２１〜２２３のそれぞれにおいて、＃０〜＃７はサブフレーム番号を示している。サブレームは１［ｍｓ］の時間リソースである。
【００２８】
基地局２１１〜２１３のそれぞれは、たとえば、サブフレーム番号が５の倍数であるサブフレームにＰＳＳおよびＳＳＳを格納することにより、ＰＳＳおよびＳＳＳを５［ｍｓ］の周期で送信する。また、基地局２１１〜２１３のそれぞれは、たとえば、サブフレーム番号が１０の倍数であるサブフレームにＰＢＣＨ（報知信号）を格納することにより、ＰＢＣＨを１０［ｍｓ］の周期で送信する。
【００２９】
ＮID（２）は、ＰＳＳの系列を示し、自局のセルＩＤによって決定される。ＮID（２）は、「０」、「１」および「２」のいずれかの値である。図２Ａに示す例では、基地局２１１のＮID（２）は「０」であり、基地局２１２のＮID（２）は「１」であり、基地局２１３のＮID（２）は「２」である。
【００３０】
基地局２１１〜２１３のそれぞれは、自局のＮID（２）に応じたＰＳＳをそれぞれ無線信号２２１〜２２３によって送信する。また、基地局２１１〜２１３のそれぞれは、自局のＮID（２）に応じて、サブフレームをシフトさせる。これにより、基地局２１１〜２１３のそれぞれは、同期信号およびＰＢＣＨを含む各信号を送信する時間リソースを互いにずらすことができる。
【００３１】
たとえば、基地局２１１は、自局のＮID（２）が「０」であるため、シフト量「０」によってサブフレームをシフトさせる（シフトなし）。基地局２１２は、自局のＮID（２）が「１」であるため、シフト量「１」によってサブフレームをシフトさせる。これにより、無線信号２２２は無線信号２２１に対して１サブフレームシフトする。基地局２１３は、自局のＮID（２）が「２」であるため、シフト量「２」によってサブフレームをシフトさせる。これにより、無線信号２２３は無線信号２２１に対して２サブフレームシフトする。
【００３２】
（サブフレーム番号の補正）
図２Ｂは、サブフレーム番号の補正の一例を示す図である。図２Ｂにおいて、図２Ａに示した部分と同様の部分については同一の符号を付して説明を省略する。基地局２１１に接続する端末は、基地局２１１から送信される無線信号２２１からＰＳＳを検出する。そして、基地局２１１に接続する端末は、検出したＰＳＳの系列が「０」であるため、基地局２１１のサブフレームのシフト量が「０」であると判定する。このため、基地局２１１に接続する端末は、ＰＳＳを検出したサブフレームを＃０とする各サブフレーム番号（＃０，＃１，…）を補正せずに、サブフレーム番号が１０の倍数であるサブフレームを復調することにより報知信号（Ｂ）を検出することができる。
【００３３】
基地局２１２に接続する端末は、基地局２１２から送信される無線信号２２２からＰＳＳを検出する。そして、基地局２１２に接続する端末は、検出したＰＳＳの系列が「１」であるため、基地局２１２のサブフレームのシフト量が「１」であると判定する。このため、基地局２１２に接続する端末は、ＰＳＳを検出したサブフレームを＃０とする各サブフレーム番号（＃０，＃１，…）を、ＰＳＳを検出したサブフレームを＃１とする各サブフレーム番号（＃１，＃２，…）に補正する。そして、基地局２１２に接続する端末は、補正後のサブフレーム番号が１０の倍数＋１であるサブフレーム（たとえば＃１）を復調することにより報知信号（Ｂ）を検出することができる。
【００３４】
基地局２１３に接続する端末は、基地局２１３から送信される無線信号２２３からＰＳＳを検出する。そして、基地局２１３に接続する端末は、検出したＰＳＳの系列が「２」であるため、基地局２１３のサブフレームのシフト量が「２」であると判定する。このため、基地局２１３に接続する端末は、ＰＳＳを検出したサブフレームを＃０とする各サブフレーム番号（＃０，＃１，…）を、ＰＳＳを検出したサブフレームを＃２とする各サブフレーム番号（＃２，＃３，…）に補正する。そして、基地局２１３に接続する端末は、補正後のサブフレーム番号が１０の倍数＋２であるサブフレーム（たとえば＃２）を復調することにより報知信号（Ｂ）を検出することができる。
【００３５】
このように、基地局２１１〜２１３は、サブフレームを時間シフトする際に、ＰＳＳの系列と時間シフト量とを対応付ける。これにより、端末は、たとえば基地局２１１〜２１３におけるシフト量が通知されなくても、検出したＰＳＳの系列から、基地局２１１〜２１３におけるシフト量を特定し、サブフレーム番号を補正することが可能になる。
【００３６】
なお、サブフレームシフトのシフト量とＰＳＳの系列とを対応付ける場合について説明したが、サブフレームシフトのシフト量とＳＳＳの系列とを対応付けてもよい。この場合は、端末は、検出したＳＳＳの系列から、基地局２１１〜２１３におけるシフト量を特定し、サブフレーム番号を補正することが可能になる。
【００３７】
または、サブフレームシフトのシフト量と基地局２１１〜２１３のセルＩＤとを対応付けてもよい。この場合は、端末は、検出したＳＳＳの系列およびＰＳＳの系列からセルＩＤを特定し、特定したセルＩＤから基地局２１１〜２１３におけるシフト量を特定し、サブフレーム番号を補正することが可能になる。
【００３８】
また、端末は、特定したシフト量に基づいて、他のセルとの間で協調通信を行ってもよい。たとえば、端末は、基地局２１１に接続し、さらに基地局２１２のセルとの間で協調通信を行うとする。この場合は、端末は、基地局２１１におけるサブフレーム番号のシフト量を特定し、基地局２１２のセルとの間の通信等において、自セルのサブフレーム番号を特定したシフト量で補正することによって、他のセルとの間でサブフレーム番号の認識を合わせる。
【００３９】
（実施の形態２にかかる基地局）
図３は、実施の形態２にかかる基地局の一例を示す図である。基地局２１１〜２１３のそれぞれは、たとえば図３に示す基地局３００によって実現することができる。基地局３００は、アンテナ３０１と、Ｔｘ／Ｒｘ切替部３０２と、受信部３１１と、ＣＨ推定部３１２と、制御信号復調・復号部３１３と、データ信号復調・復号部３１４と、受信品質算出部３１５と、を備える。また、基地局３００は、スケジューラ３２１と、データ信号生成部３２２と、制御信号生成部３２３と、ＲＳ生成部３２４と、同期信号生成部３２５と、シフト付加部３２６と、報知信号生成部３２７と、割当・配置部３２８と、送信部３２９と、を備える。
【００４０】
アンテナ３０１は、他の通信装置から無線送信された信号を受信してＴｘ／Ｒｘ切替部３０２へ出力する。また、アンテナ３０１は、Ｔｘ／Ｒｘ切替部３０２から出力された信号を無線送信する。Ｔｘ／Ｒｘ切替部３０２は、アンテナ３０１から出力された信号を受信部３１１へ出力する。また、Ｔｘ／Ｒｘ切替部３０２は、送信部３２９から出力された信号をアンテナ３０１へ出力する。
【００４１】
受信部３１１は、Ｔｘ／Ｒｘ切替部３０２から出力された信号の受信処理を行う。受信部３１１による受信処理には、たとえば、増幅や周波数変換などが含まれる。受信部３１１は、受信処理によって得られた信号を、ＣＨ推定部３１２、制御信号復調・復号部３１３およびデータ信号復調・復号部３１４へ出力する。
【００４２】
ＣＨ推定部３１２は、受信部３１１から出力された信号に含まれるＲＳ（Ｒｅｆｅｒｅｎｃｅ  Ｓｉｇｎａｌ：参照信号）に基づくチャネル推定を行う。そして、ＣＨ推定部３１２は、チャネル推定の結果を示すＣＨ推定値を、制御信号復調・復号部３１３、データ信号復調・復号部３１４および受信品質算出部３１５へ出力する。
【００４３】
制御信号復調・復号部３１３は、ＣＨ推定部３１２から出力されたＣＨ推定値に基づいて、受信部３１１から出力された信号に含まれる制御信号の復調および復号を行う。そして、制御信号復調・復号部３１３は、復調および復号により得られた制御情報を、データ信号復調・復号部３１４およびスケジューラ３２１へ出力する。
【００４４】
データ信号復調・復号部３１４は、ＣＨ推定部３１２からのＣＨ推定値と、制御信号復調・復号部３１３からの制御情報と、に基づいて、受信部３１１から出力された信号に含まれるデータ信号の復調および復号を行う。そして、データ信号復調・復号部３１４は、復調および復号により得られたデータをスケジューラ３２１へ出力する。
【００４５】
受信品質算出部３１５は、ＣＨ推定部３１２から出力されたＣＨ推定値に基づいて、基地局３００における受信品質を算出する。そして、受信品質算出部３１５は、算出した受信品質をスケジューラ３２１へ通知する。
【００４６】
スケジューラ３２１は、制御信号復調・復号部３１３から出力された制御情報と、データ信号復調・復号部３１４から出力されたデータと、受信品質算出部３１５から通知された受信品質と、に基づくスケジューリングを行う。具体的には、スケジューラ３２１は、無線リソースに対して各信号を割り当てるスケジューリングを行う。無線リソースは、たとえば周波数リソースおよび時間リソースの組み合わせである。
【００４７】
スケジューラ３２１は、スケジューリング結果を示す割当情報を割当・配置部３２８へ出力する。また、スケジューラ３２１は、スケジューリング結果に基づく各種の信号生成要求を、データ信号生成部３２２、制御信号生成部３２３、ＲＳ生成部３２４および同期信号生成部３２５へ出力する。また、スケジューラ３２１は、基地局３００のセルＩＤを示すセルＩＤ情報を同期信号生成部３２５へ出力する。
【００４８】
データ信号生成部３２２は、スケジューラ３２１から出力された信号生成要求に基づいてデータ信号を生成する。そして、データ信号生成部３２２は、生成したデータ信号を割当・配置部３２８へ出力する。制御信号生成部３２３は、スケジューラ３２１から出力された信号生成要求に基づいて制御信号を生成する。そして、制御信号生成部３２３は、生成した制御信号を割当・配置部３２８へ出力する。ＲＳ生成部３２４は、スケジューラ３２１から出力された信号生成要求に基づいてＲＳを生成する。そして、ＲＳ生成部３２４は、生成したＲＳを割当・配置部３２８へ出力する。
【００４９】
同期信号生成部３２５は、スケジューラ３２１から出力された信号生成要求およびセルＩＤ情報に基づいて同期信号を生成する。たとえば、同期信号生成部３２５は、セルＩＤ情報に基づく系列のＰＳＳおよびＳＳＳを同期信号として生成する。そして、同期信号生成部３２５は、生成した同期信号を割当・配置部３２８へ出力する。また、同期信号生成部３２５は、生成したＰＳＳおよびＳＳＳの系列を示す同期信号系列情報と、セルＩＤ情報と、をシフト付加部３２６へ出力する。
【００５０】
シフト付加部３２６は、同期信号生成部３２５から出力された同期信号系列情報が示す系列に基づいて、基地局３００におけるサブフレームのシフト量を選択する。または、シフト付加部３２６は、同期信号生成部３２５から出力されたセルＩＤ情報が示すセルＩＤに基づいて、基地局３００におけるサブフレームのシフト量を選択してもよい。
【００５１】
たとえば、基地局３００のメモリには、同期信号の系列またはセルＩＤと、シフト量と、の対応情報が記憶されている。シフト付加部３２６は、対応情報に基づいて、同期信号系列情報が示す系列またはセルＩＤ情報が示すセルＩＤに対応するシフト量を選択する。そして、シフト付加部３２６は、選択したシフト量を割当・配置部３２８へ通知する。
【００５２】
報知信号生成部３２７は、報知信号（ＰＢＣＨ）を生成する。そして、報知信号生成部３２７は、生成した報知信号を割当・配置部３２８へ出力する。
【００５３】
割当・配置部３２８は、スケジューラ３２１から出力された割当情報に基づいて、データ信号生成部３２２、制御信号生成部３２３、ＲＳ生成部３２４、同期信号生成部３２５および報知信号生成部３２７から出力された各信号の割当および配置を行う。また、割当・配置部３２８は、シフト付加部３２６から通知されたシフト量に基づいて、基準となる無線信号（たとえば基地局２１１の無線信号２２１）に対してサブフレームをシフトさせ、シフトさせたサブフレームに対して各信号の割当および配置を行う。割当・配置部３２８は、各信号の割当および配置を行った信号を送信部３２９へ出力する。
【００５４】
送信部３２９は、割当・配置部３２８から出力された信号の送信処理を行う。送信部３２９による送信処理には、たとえば、周波数変換や増幅などが含まれる。送信部３２９は、送信処理を行った信号をＴｘ／Ｒｘ切替部３０２へ出力する。
【００５５】
図１Ａ，図１Ｂに示した割当部１１１は、たとえばスケジューラ３２１、同期信号生成部３２５、シフト付加部３２６、報知信号生成部３２７および割当・配置部３２８によって実現することができる。図１Ａ，図１Ｂに示した送信部１１２は、たとえば送信部３２９、Ｔｘ／Ｒｘ切替部３０２およびアンテナ３０１によって実現することができる。
【００５６】
（基地局のハードウェア構成）
図４は、基地局のハードウェア構成の一例を示す図である。図３に示した基地局３００は、たとえば図４に示す通信装置４００によって実現することができる。通信装置４００は、プロセッサ４０１と、メモリ４０２と、アナログ回路４０３と、デジタル回路４０４と、無線Ｉ／Ｆ４０５と、伝送網Ｉ／Ｆ４０６と、を備える。プロセッサ４０１、メモリ４０２、アナログ回路４０３、デジタル回路４０４、無線Ｉ／Ｆ４０５および伝送網Ｉ／Ｆ４０６は、たとえばバスによって接続される。
【００５７】
プロセッサ４０１は、通信装置４００の全体の制御を司る。メモリ４０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、プロセッサ４０１のワークエリアとして使用される。補助メモリは、たとえば磁気ディスク、光ディスク、フラッシュメモリなどの不揮発メモリである。補助メモリには、通信装置４００を動作させる各種のプログラムが記憶されている。補助メモリに記憶されたプログラムは、メインメモリにロードされてプロセッサ４０１によって実行される。
【００５８】
アナログ回路４０３は、アナログ信号を処理する回路である。アナログ回路４０３は、プロセッサ４０１によって制御される。デジタル回路４０４は、デジタル信号を処理する回路である。デジタル回路４０４は、プロセッサ４０１によって制御される。
【００５９】
無線Ｉ／Ｆ４０５は、無線によって通信装置４００の外部（たとえば移動通信端末）との間で通信を行う通信インタフェースである。無線Ｉ／Ｆ４０５は、プロセッサ４０１によって制御される。伝送網Ｉ／Ｆ４０６は、たとえば有線によって通信装置４００の外部（たとえば上位装置）との間で通信を行う通信インタフェースである。伝送網Ｉ／Ｆ４０６は、プロセッサ４０１によって制御される。
【００６０】
図３に示したアンテナ３０１およびＴｘ／Ｒｘ切替部３０２は、たとえば無線Ｉ／Ｆ４０５によって実現することができる。図３に示した受信部３１１および送信部３２９は、たとえばアナログ回路４０３および無線Ｉ／Ｆ４０５によって実現することができる。図３に示したＣＨ推定部３１２、制御信号復調・復号部３１３、データ信号復調・復号部３１４および受信品質算出部３１５は、たとえばプロセッサ４０１、デジタル回路４０４およびメモリ４０２によって実現することができる。
【００６１】
図３に示したスケジューラ３２１は、たとえばプロセッサ４０１、デジタル回路４０４、メモリ４０２および伝送網Ｉ／Ｆ４０６によって実現することができる。図３に示したデータ信号生成部３２２、制御信号生成部３２３、ＲＳ生成部３２４、同期信号生成部３２５およびシフト付加部３２６は、たとえばプロセッサ４０１、デジタル回路４０４およびメモリ４０２によって実現することができる。図３に示した報知信号生成部３２７および割当・配置部３２８は、たとえばプロセッサ４０１、デジタル回路４０４およびメモリ４０２によって実現することができる。
【００６２】
（実施の形態２にかかる端末）
図５は、実施の形態２にかかる端末の一例を示す図である。基地局２１１〜２１３に接続する端末（移動通信端末）は、たとえば図５に示す端末５００によって実現することができる。端末５００は、アンテナ５０１と、Ｔｘ／Ｒｘ切替部５０２と、受信部５１１と、同期信号検出部５１２と、セルＩＤ特定部５１３と、ＣＨ推定部５１４と、報知信号検出部５１５と、シフト量特定部５１６と、を備える。また、端末５００は、制御信号復調・復号部５１７と、データ信号復調・復号部５１８と、受信品質算出部５１９と、データ信号生成部５２１と、制御信号生成部５２２と、ＲＳ生成部５２３と、割当・配置部５２４と、送信部５２５と、を備える。
【００６３】
アンテナ５０１は、他の通信装置から無線送信された信号を受信してＴｘ／Ｒｘ切替部５０２へ出力する。また、アンテナ５０１は、Ｔｘ／Ｒｘ切替部５０２から出力された信号を無線送信する。Ｔｘ／Ｒｘ切替部５０２は、アンテナ５０１から出力された信号を受信部５１１へ出力する。また、Ｔｘ／Ｒｘ切替部５０２は、送信部５２５から出力された信号をアンテナ５０１へ出力する。
【００６４】
受信部５１１は、Ｔｘ／Ｒｘ切替部５０２から出力された信号の受信処理を行う。受信部５１１による受信処理には、たとえば、増幅や周波数変換などが含まれる。受信部５１１は、受信処理によって得られた信号を、同期信号検出部５１２、ＣＨ推定部５１４、報知信号検出部５１５、制御信号復調・復号部５１７およびデータ信号復調・復号部５１８へ出力する。
【００６５】
同期信号検出部５１２は、受信部５１１から出力された信号に含まれる同期信号（ＰＳＳおよびＳＳＳ）を検出する。そして、同期信号検出部５１２は、検出した同期信号を報知信号検出部５１５へ出力する。また、同期信号検出部５１２は、検出した同期信号の系列を示す同期信号系列情報をセルＩＤ特定部５１３およびシフト量特定部５１６へ出力する。
【００６６】
セルＩＤ特定部５１３は、同期信号検出部５１２から出力された同期信号系列情報が示す同期信号の系列に基づいて基地局３００のセルＩＤを特定する。そして、セルＩＤ特定部５１３は、特定したセルＩＤを示すセルＩＤ情報をシフト量特定部５１６へ出力する。
【００６７】
ＣＨ推定部５１４は、受信部５１１から出力された信号に含まれるＲＳに基づく上りチャネルのチャネル推定を行う。そして、ＣＨ推定部５１４は、チャネル推定の結果を示す上りＣＨ推定値を、制御信号復調・復号部５１７、データ信号復調・復号部５１８および受信品質算出部５１９へ出力する。
【００６８】
報知信号検出部５１５は、同期信号検出部５１２から出力された同期信号のタイミングと、シフト量特定部５１６から出力されたシフト量情報と、に基づいて、受信部５１１から出力された信号に含まれる報知信号（ＰＢＣＨ）を検出する。そして、報知信号検出部５１５は、検出した報知信号を、制御信号復調・復号部５１７、データ信号復調・復号部５１８および受信品質算出部５１９へ出力する。
【００６９】
シフト量特定部５１６は、同期信号検出部５１２から出力された同期信号系列情報が示すＰＳＳまたはＳＳＳの系列に基づいて、基地局３００におけるサブフレームのシフト量を特定する。または、シフト量特定部５１６は、セルＩＤ特定部５１３から出力されたセルＩＤ情報が示すセルＩＤに基づいて、基地局３００におけるサブフレームのシフト量を特定してもよい。
【００７０】
たとえば、端末５００のメモリには、基地局３００に記憶された対応情報と同じ、同期信号の系列またはセルＩＤと、シフト量と、の対応情報が記憶されている。シフト量特定部５１６は、同期信号系列情報が示す系列またはセルＩＤ情報が示すセルＩＤと、対応情報と、に基づいて、基地局３００におけるサブフレームのシフト量を特定する。シフト量特定部５１６は、特定したシフト量を示すシフト量情報を、報知信号検出部５１５、制御信号復調・復号部５１７、データ信号復調・復号部５１８および受信品質算出部５１９へ出力する。
【００７１】
制御信号復調・復号部５１７は、受信部５１１から出力された信号に含まれる制御信号の復調および復号を行う。具体的には、制御信号復調・復号部５１７は、ＣＨ推定部５１４から出力された上りＣＨ推定値、報知信号検出部５１５から出力された報知信号、およびシフト量特定部５１６から出力されたシフト量情報に基づいて制御信号の復調および復号を行う。そして、制御信号復調・復号部５１７は、復号結果（制御情報）を、データ信号復調・復号部５１８および制御信号生成部５２２へ出力する。また、制御信号復調・復号部５１７は、制御情報に含まれる割当情報を割当・配置部５２４へ出力する。
【００７２】
データ信号復調・復号部５１８は、受信部５１１から出力された信号に含まれるデータ信号の復調および復号を行う。具体的には、データ信号復調・復号部５１８は、ＣＨ推定部５１４からの上りＣＨ推定値、制御信号復調・復号部５１７からの制御情報、報知信号検出部５１５からの報知信号、およびシフト量特定部５１６からのシフト量情報に基づいて復調および復号を行う。そして、データ信号復調・復号部５１８は、復号結果（データ）を制御信号生成部５２２へ出力する。
【００７３】
受信品質算出部５１９は、ＣＨ推定部５１４からの上りＣＨ推定値、報知信号検出部５１５からの報知信号、およびシフト量特定部５１６からのシフト量情報に基づいて、端末５００における受信品質を算出する。受信品質算出部５１９によって算出される受信品質は、たとえば、ＰＭＩ（Ｐｒｅｃｏｄｉｎｇ  Ｍａｔｒｉｘ  Ｉｎｄｉｃａｔｏｒ）、ＣＱＩ（Ｃｈａｎｎｅｌ  Ｑｕａｌｉｔｙ  Ｉｎｄｉｃａｔｏｒ）、ＲＩ（Ｒａｎｋ  Ｉｎｄｉｃａｔｉｏｎ）などである。受信品質算出部５１９は、算出した受信品質を制御信号生成部５２２へ通知する。
【００７４】
データ信号生成部５２１は、上りのデータ信号を生成する。そして、データ信号生成部５２１は、生成したデータ信号を割当・配置部５２４へ出力する。制御信号生成部５２２は、上りの制御信号を生成する。上りの制御信号には、たとえば、データ信号復調・復号部５１８および制御信号復調・復号部５１７からの復号結果に基づく受信応答（Ａｃｋ／Ｎａｃｋ）や、受信品質算出部５１９から通知された受信品質などが含まれる。制御信号生成部５２２は、生成した制御信号を割当・配置部５２４へ出力する。ＲＳ生成部５２３は、ＲＳを生成する。そして、ＲＳ生成部５２３は、生成したＲＳを割当・配置部５２４へ出力する。
【００７５】
割当・配置部５２４は、制御信号復調・復号部５１７から出力された割当情報に基づいて、データ信号生成部５２１、制御信号生成部５２２およびＲＳ生成部５２３から出力された各信号の割当および配置を行う。そして、割当・配置部５２４は、各信号の割当および配置を行った信号を送信部５２５へ出力する。
【００７６】
送信部５２５は、割当・配置部５２４から出力された信号の送信処理を行う。送信部５２５による送信処理には、たとえば、周波数変換や増幅などが含まれる。送信部５２５は、送信処理を行った信号をＴｘ／Ｒｘ切替部５０２へ出力する。
【００７７】
図１Ａ，図１Ｂに示した受信部１３１は、アンテナ５０１、Ｔｘ／Ｒｘ切替部５０２および受信部５１１によって実現することができる。図１Ａ，図１Ｂに示した第１検出部１３２は、同期信号検出部５１２によって実現することができる。図１Ａ，図１Ｂに示した特定部１３３は、シフト量特定部５１６によって実現することができる。図１Ａ，図１Ｂに示した第２検出部１３４は、報知信号検出部５１５によって実現することができる。
【００７８】
（端末のハードウェア構成）
図６は、端末のハードウェア構成の一例を示す図である。図５に示した端末５００は、たとえば図６に示す通信装置６００によって実現することができる。通信装置６００は、プロセッサ６０１と、メモリ６０２と、アナログ回路６０３と、デジタル回路６０４と、無線Ｉ／Ｆ６０５と、を備える。プロセッサ６０１、メモリ６０２、アナログ回路６０３、デジタル回路６０４および無線Ｉ／Ｆ６０５は、たとえばバスによって接続される。
【００７９】
プロセッサ６０１は、通信装置６００の全体の制御を司る。メモリ６０２には、たとえばメインメモリおよび補助メモリが含まれる。メインメモリは、たとえばＲＡＭである。メインメモリは、プロセッサ６０１のワークエリアとして使用される。補助メモリは、たとえば磁気ディスク、光ディスク、フラッシュメモリなどの不揮発メモリである。補助メモリには、通信装置６００を動作させる各種のプログラムが記憶されている。補助メモリに記憶されたプログラムは、メインメモリにロードされてプロセッサ６０１によって実行される。
【００８０】
アナログ回路６０３は、アナログ信号を処理する回路である。アナログ回路６０３は、プロセッサ６０１によって制御される。デジタル回路６０４は、デジタル信号を処理する回路である。デジタル回路６０４は、プロセッサ６０１によって制御される。無線Ｉ／Ｆ６０５は、無線によって通信装置６００の外部（たとえば基地局）との間で通信を行う通信インタフェースである。無線Ｉ／Ｆ６０５は、プロセッサ６０１によって制御される。
【００８１】
図５に示したアンテナ５０１およびＴｘ／Ｒｘ切替部５０２は、たとえば無線Ｉ／Ｆ６０５によって実現することができる。図５に示した受信部５１１および送信部５２５は、たとえばアナログ回路６０３および無線Ｉ／Ｆ６０５によって実現することができる。
【００８２】
図５に示した同期信号検出部５１２、セルＩＤ特定部５１３、ＣＨ推定部５１４、報知信号検出部５１５およびシフト量特定部５１６は、たとえばプロセッサ６０１、デジタル回路６０４およびメモリ６０２によって実現することができる。また、図５に示した制御信号復調・復号部５１７、データ信号復調・復号部５１８および受信品質算出部５１９は、たとえばプロセッサ６０１、デジタル回路６０４およびメモリ６０２によって実現することができる。また、図５に示したデータ信号生成部５２１、制御信号生成部５２２、ＲＳ生成部５２３および割当・配置部５２４は、たとえばプロセッサ６０１、デジタル回路６０４およびメモリ６０２によって実現することができる。
【００８３】
（実施の形態２にかかる基地局による処理）
図７Ａは、実施の形態２にかかる基地局による処理の例１を示すフローチャートである。シフト量をＰＳＳの系列と対応付ける場合は、基地局３００は、たとえば図７Ａに示す各ステップを実行する。図７Ａに示す各ステップは、たとえば基地局３００の起動時などに実行される。
【００８４】
まず、基地局３００は、基地局３００（自局）のセルＩＤに応じて、基地局３００から送信するＰＳＳおよびＳＳＳの系列を決定する（ステップＳ７１１）。つぎに、基地局３００は、ステップＳ７１１によって決定したＰＳＳの系列に応じてサブフレームシフトを開始する（ステップＳ７１２）。すなわち、基地局３００は、ＰＳＳの系列に応じたシフト量によってサブフレームをシフトさせる。
【００８５】
図７Ｂは、実施の形態２にかかる基地局による処理の例２を示すフローチャートである。シフト量をＳＳＳと対応付ける場合は、基地局３００は、たとえば図７Ｂに示す各ステップを実行する。図７Ｂに示す各ステップは、たとえば基地局３００の起動時などに実行される。
【００８６】
まず、基地局３００は、基地局３００（自局）のセルＩＤに応じて、基地局３００から送信するＰＳＳおよびＳＳＳの系列を決定する（ステップＳ７２１）。つぎに、基地局３００は、ステップＳ７２１によって決定したＳＳＳの系列に応じてサブフレームシフトを開始する（ステップＳ７２２）。すなわち、基地局３００は、ＳＳＳの系列に応じたシフト量によってサブフレームをシフトさせる。
【００８７】
図７Ｃは、実施の形態２にかかる基地局による処理の例３を示すフローチャートである。シフト量をセルＩＤと対応付ける場合は、基地局３００は、たとえば図７Ｃに示す各ステップを実行する。図７Ｃに示す各ステップは、たとえば基地局３００の起動時などに実行される。
【００８８】
まず、基地局３００は、基地局３００（自局）のセルＩＤに応じて、基地局３００から送信するＰＳＳおよびＳＳＳの系列を決定する（ステップＳ７３１）。つぎに、基地局３００は、基地局３００のセルＩＤに応じてサブフレームシフトを開始する（ステップＳ７３２）。すなわち、基地局３００は、セルＩＤの系列に応じたシフト量によってサブフレームをシフトさせる。
【００８９】
（実施の形態２にかかる端末による処理）
図８Ａは、実施の形態２にかかる端末による処理の例１を示すフローチャートである。シフト量をＰＳＳと対応付ける場合は、端末５００は、たとえば図８Ａに示す各ステップを実行する。図８Ａに示す各ステップは、たとえば端末５００の基地局３００への接続時などに実行される。
【００９０】
まず、端末５００は、基地局３００から送信される無線信号に含まれるＰＳＳを検出する（ステップＳ８１１）。つぎに、端末５００は、ステップＳ８１１によって検出したＰＳＳに基づいて、基地局３００におけるサブフレームのシフト量を特定する（ステップＳ８１２）。
【００９１】
つぎに、端末５００は、ステップＳ８１２によって特定したシフト量に基づいてサブフレーム番号を補正し（ステップＳ８１３）、補正したサブフレーム番号に基づく処理を行う。たとえば、端末５００は、ＰＳＳを検出したサブフレームのタイミングと、サブフレーム番号の補正結果と、に基づいてＰＢＣＨを検出する。
【００９２】
図８Ｂは、実施の形態２にかかる端末による処理の例２を示すフローチャートである。シフト量をＳＳＳと対応付ける場合は、端末５００は、たとえば図８Ｂに示す各ステップを実行する。図８Ｂに示す各ステップは、たとえば端末５００の基地局３００への接続時などに実行される。
【００９３】
まず、端末５００は、基地局３００から送信される無線信号に含まれるＰＳＳを検出する（ステップＳ８２１）。また、端末５００は、基地局３００から送信される無線信号に含まれるＳＳＳを検出する（ステップＳ８２２）。つぎに、端末５００は、ステップＳ８２２によって検出したＳＳＳに基づいて、基地局３００におけるサブフレームのシフト量を特定する（ステップＳ８２３）。
【００９４】
つぎに、端末５００は、ステップＳ８２３によって特定したシフト量に基づいてサブフレーム番号を補正し（ステップＳ８２４）、補正したサブフレーム番号に基づく処理を行う。たとえば、端末５００は、ＰＳＳを検出したサブフレームのタイミングと、サブフレーム番号の補正結果と、に基づいてＰＢＣＨを検出する。
【００９５】
図８Ｃは、実施の形態２にかかる端末による処理の例３を示すフローチャートである。シフト量をセルＩＤと対応付ける場合は、端末５００は、たとえば図８Ｃに示す各ステップを実行する。図８Ｃに示す各ステップは、たとえば端末５００の基地局３００への接続時などに実行される。
【００９６】
まず、端末５００は、基地局３００から送信される無線信号に含まれるＰＳＳを検出する（ステップＳ８３１）。また、端末５００は、基地局３００から送信される無線信号に含まれるＳＳＳを検出する（ステップＳ８３２）。つぎに、端末５００は、ステップＳ８３１によって検出したＰＳＳの系列と、ステップＳ８３２によって検出したＳＳＳの系列と、に基づいて基地局３００のセルＩＤを特定する（ステップＳ８３３）。
【００９７】
つぎに、端末５００はステップＳ８３３によって特定したセルＩＤに基づいて、基地局３００におけるサブフレームのシフト量を特定する（ステップＳ８３４）。つぎに、端末５００は、ステップＳ８３４によって特定したシフト量に基づいてサブフレーム番号を補正し（ステップＳ８３５）、補正したサブフレーム番号に基づく処理を行う。たとえば、端末５００は、ＰＳＳを検出したサブフレームのタイミングと、サブフレーム番号の補正結果と、に基づいてＰＢＣＨを検出する。
【００９８】
このように、実施の形態２によれば、基地局２１１〜２１３の間でサブフレームを時間シフトする構成において、基地局２１１〜２１３がＰＢＣＨ（特定信号）を格納する時間リソースを同期信号の系列またはセルＩＤに対応付けることができる。これにより、ＰＢＣＨを格納する時間リソースやシフト量を端末５００へ通知しなくても、端末５００は、検出した同期信号の系列またはセルＩＤからＰＢＣＨが格納された時間リソースを特定し、ＰＢＣＨを検出することができる。
【００９９】
したがって、基地局２１１〜２１３がＰＢＣＨを格納する時間リソースをずらしてＰＢＣＨの衝突を抑えつつ、ＰＢＣＨを格納する時間リソースを端末５００へ通知するための制御情報を不要にすることができる。このため、端末５００へ送信する制御情報の削減を図ることができる。
【０１００】
（サブフレーム番号の補正）
ここで、サブフレーム番号の補正について説明する。たとえば、セル間でサブフレームシフトを実施する際、マスタとなるセルが、対象セルにシフト量を通知する。マクロセルのカバレッジエリア内にスモールセルが存在する場合は、たとえばマクロセルがマスタとなる。ここで、サブフレームの時間シフトを行う場合は、同期信号の時間リソースをシフトする。そして、端末は、セルが送信する同期信号をもとにセルサーチを行うことによりセルに接続する。このとき、端末は、同期信号を検出できたサブフレームをサブフレームの始まりと認識するが、同期信号自体もマスタとなるセルとは配置位置が異なるため、接続先のセルによってサブフレーム番号の認識のズレが生じる。
【０１０１】
このため、セル間で協調通信を行う場合には、サブフレーム番号の認識を合わせることを要する。たとえば、各セルにおいて、サブフレーム番号を補正することにより、サブフレーム番号をマスタとなるセルに合わせる。セル間においては、光ファイバなどのバックホールインタフェースでシフト量を共有することが可能であるが、端末にシフト量を通知するためには、新たな制御信号の追加を要する。
【０１０２】
たとえば、制御信号にシフト量を格納して送ることが考えられるが、現状のＬＴＥ（Ｌｏｎｇ  Ｔｅｒｍ  Ｅｖｏｌｕｔｉｏｎ）やＬＴＥ−Ａの仕様ではこのような仕様が策定されていない。また、制御信号にシフト量を格納して送るためには、制御信号のフォーマット変更を要するため、システムへの影響が大きい。
【０１０３】
これに対して、基地局３００によれば、同期信号の系列またはセルＩＤとシフト量を対応付けることにより、制御信号に影響を与えることなく端末がシフト量を認識し、サブフレーム番号やＳＦＮ（Ｓｙｓｔｅｍ  Ｆｒａｍｅ  Ｎｕｍｂｅｒ）の認識合わせを実施することができる。
【０１０４】
（実施の形態３）
実施の形態３について、実施の形態２と異なる部分について説明する。
【０１０５】
（実施の形態３にかかる各基地局から送信される無線信号）
図９は、実施の形態３にかかる各基地局から送信される無線信号の一例を示す図である。図９に示す基地局９１１〜９１５は、たとえば、互いに重複するセルエリアを形成する各基地局である。基地局９１１〜９１５は、図１Ａ，図１Ｂに示した送信局１１０，１２０に対応し、互いに近接するスモールセル、ピコセルまたはフェムトセルである。
【０１０６】
無線信号９２１〜９２５は、それぞれ基地局９１１〜９１５から送信される無線信号である。無線信号９２１〜９２５のそれぞれにおいて、「ＣＲＳ」は、ＮＣＴ（Ｎｅｗ  Ｃａｒｒｉｅｒ  Ｔｙｐｅ）のＣＲＳ（Ｃｅｌｌ−ｓｐｅｃｉｆｉｃ  Ｒｅｆｅｒｅｎｃｅ  Ｓｉｇｎａｌ：セル固有参照信号）を示す。また、無線信号９２１〜９２５のそれぞれにおいて、＃０〜＃１０はサブフレーム番号を示している。
【０１０７】
図示しないが、基地局９１１〜９１５のそれぞれは、たとえば、サブフレーム番号が５の倍数であるサブフレームにＰＳＳおよびＳＳＳを格納することにより、ＰＳＳおよびＳＳＳを５［ｍｓ］の周期で送信する（図２Ａ，図２Ｂの例と同様）。また、図９に示すように、基地局９１１〜９１５のそれぞれは、５サブフレームごとにＣＲＳを格納することにより、ＣＲＳを１０［ｍｓ］の周期で送信する。
【０１０８】
また、基地局９１１〜９１５のそれぞれは、自局のセルＩＤに応じたＣＲＳの送信パターン（送信サブフレーム）を用いる。セルＩＤは、たとえばＰＣＩＤ（Ｐｈｙｓｉｃａｌ−ｌａｙｅｒ  Ｃｅｌｌ  Ｉｄｅｎｔｉｔｙ：物理レイヤセル識別子）である。たとえば、ＣＲＳの送信パターンは（＃０，＃５）、（＃１，＃６）、（＃２，＃７）、（＃３，＃８）、（＃４，＃９）の５通りである。
【０１０９】
ＰＣＩＤｍｏｄ５は、無線信号９２１〜９２５のセルＩＤを５で割った余りを示している。図９に示す例では、無線信号９２１〜９２５のＰＣＩＤｍｏｄ５はそれぞれ「０」〜「４」である。基地局９１１〜９１５のそれぞれは、自局のＰＣＩＤｍｏｄ５に応じた送信パターンを選択し、選択した送信パターンによってＣＲＳを送信する。
【０１１０】
たとえば、基地局９１１は、自セルのＰＣＩＤｍｏｄ５が「０」であるため、送信パターン（＃０，＃５）を選択し、サブフレーム番号「＃０」，「＃５」の各サブフレームにＣＲＳを格納する。基地局９１１に接続する端末は、基地局９１１から送信される無線信号９２１からＰＳＳおよびＳＳＳを検出する。そして、基地局９１１に接続する端末は、検出したＰＳＳおよびＳＳＳの系列から基地局９１１のセルＩＤを特定し、特定したセルＩＤに基づいて基地局９１１のＰＣＩＤｍｏｄ５を算出する。
【０１１１】
図９に示す例では、基地局９１１のＰＣＩＤｍｏｄ５が「０」であるため、基地局９１１に接続する端末は、基地局９１１におけるＣＲＳの送信パターンが（＃０，＃５）であると判定する。そして、基地局９１１に接続する端末は、ＰＳＳおよびＳＳＳを検出したサブフレームを＃０のサブフレームとして、特定した送信パターンに基づいてサブフレーム番号「＃０」，「＃５」のサブフレームを復調することによりＣＲＳを検出する。
【０１１２】
基地局９１２は、自セルのＰＣＩＤｍｏｄ５が「１」であるため、送信パターン（＃１，＃６）を選択し、サブフレーム番号「＃１」，「＃６」の各サブフレームにＣＲＳを格納する。基地局９１２に接続する端末は、基地局９１２から送信される無線信号９２２からＰＳＳおよびＳＳＳを検出する。そして、基地局９１２に接続する端末は、検出したＰＳＳおよびＳＳＳの系列から基地局９１２のセルＩＤを特定し、特定したセルＩＤに基づいて基地局９１２のＰＣＩＤｍｏｄ５を算出する。
【０１１３】
図９に示す例では、基地局９１２のＰＣＩＤｍｏｄ５が「１」であるため、基地局９１２に接続する端末は、基地局９１２におけるＣＲＳの送信パターンが（＃１，＃６）であると特定する。そして、基地局９１２に接続する端末は、ＰＳＳおよびＳＳＳを検出したサブフレームを＃０のサブフレームとして、特定した送信パターンに基づいてサブフレーム番号「＃１」，「＃６」のサブフレームを復調することによりＣＲＳを検出する。
【０１１４】
このように、基地局９１１〜９１５は、ＣＲＳの送信パターンを互いにずらす際に、自局のセルＩＤと、ＣＲＳの送信パターンと、を対応付ける。これにより、端末は、たとえば基地局９１１〜９１５におけるＣＲＳの送信パターンが通知されなくても、特定したセルＩＤから基地局９１１〜９１５におけるＣＲＳの送信パターンを特定し、ＣＲＳを検出することが可能になる。
【０１１５】
なお、ＣＲＳの送信パターンとセルＩＤとを対応付ける場合について説明したが、ＣＲＳの送信パターンとＰＳＳの系列とを対応付けてもよい。この場合は、端末は、検出したＰＳＳの系列から、基地局９１１〜９１５におけるＣＲＳの送信パターンを特定し、ＣＲＳを検出することが可能になる。または、ＣＲＳの送信パターンとＳＳＳの系列とを対応付けてもよい。この場合は、端末は、検出したＳＳＳの系列から、基地局９１１〜９１５におけるＣＲＳの送信パターンを特定し、ＣＲＳを検出することが可能になる。
【０１１６】
（ＮＣＴおよびＣＲＳ）
ここで、ＮＣＴおよびＣＲＳについて説明する。ＮＣＴは、従来のキャリア（Ｌｅｇａｃｙ  Ｃａｒｒｉｅｒ）と異なるキャリア（Ｎｅｗ  Ｃａｒｒｉｅｒ）も利用して通信を行い、キャリア（Ｎｅｗ  Ｃａｒｒｉｅｒ）上では、従来とは異なる無線フォーマットを用いるものである。
【０１１７】
ＮＣＴ上では、従来のキャリアのように全サブフレームでセル固有のパイロット信号（参照信号）であるＣＲＳを送信するのではなく、特定のサブフレームのみＣＲＳを送信することが提案されている。これをＲＣＲＳ（Ｒｅｄｕｃｅｄ  ＣＲＳ）と呼ぶことがある。ＲＣＲＳの送信パターンを通知する方法の仕様についてはまだ策定されていない。
【０１１８】
（実施の形態３にかかる基地局）
図１０は、実施の形態３にかかる基地局の一例を示す図である。図１０において、図３に示した部分と同様の部分については同一の符号を付して説明を省略する。図１０に示すように、実施の形態３にかかる基地局３００は、たとえば、図３に示した基地局３００のシフト付加部３２６に代えて、ＣＲＳパターン決定部１００１を備えている。ＣＲＳパターン決定部１００１は、たとえば図４に示したプロセッサ４０１、デジタル回路４０４およびメモリ４０２によって実現することができる。
【０１１９】
同期信号生成部３２５は、同期信号系列情報およびセルＩＤ情報をＣＲＳパターン決定部１００１へ出力する。ＣＲＳパターン決定部１００１は、同期信号生成部３２５から出力された同期信号系列情報が示すＰＳＳまたはＳＳＳの系列に基づいて基地局３００におけるＣＲＳの送信パターンを決定する。または、ＣＲＳパターン決定部１００１は、同期信号生成部３２５から出力されたセルＩＤ情報が示すセルＩＤに基づいて基地局３００におけるＣＲＳの送信パターンを決定してもよい。
【０１２０】
たとえば、基地局３００のメモリには、同期信号の系列またはセルＩＤと、送信パターンと、の対応情報が記憶されている。ＣＲＳパターン決定部１００１は、対応情報に基づいて、同期信号系列情報が示す系列またはセルＩＤ情報が示すセルＩＤに対応する送信パターンを選択する。そして、ＣＲＳパターン決定部１００１は、決定した送信パターンを示すＣＲＳパターン情報をＲＳ生成部３２４へ出力する。
【０１２１】
ＲＳ生成部３２４は、ＣＲＳパターン決定部１００１から出力されたＣＲＳパターン情報が示す送信パターンに基づいてＣＲＳを生成し、生成したＣＲＳを含む参照信号を割当・配置部３２８へ出力する。
【０１２２】
図１Ａ，図１Ｂに示した割当部１１１は、たとえばスケジューラ３２１、同期信号生成部３２５、ＣＲＳパターン決定部１００１、報知信号生成部３２７および割当・配置部３２８によって実現することができる。
【０１２３】
（実施の形態３にかかる端末）
図１１は、実施の形態３にかかる端末の一例を示す図である。図１１において、図５に示した部分と同様の部分については同一の符号を付して説明を省略する。実施の形態３にかかる端末５００は、たとえば、図５に示した端末５００のシフト量特定部５１６に代えて、ＣＲＳパターン特定部１１０１を備えている。ＣＲＳパターン特定部１１０１は、たとえば図６に示したプロセッサ６０１、デジタル回路６０４およびメモリ６０２によって実現することができる。
【０１２４】
同期信号検出部５１２は、同期信号系列情報をセルＩＤ特定部５１３およびＣＲＳパターン特定部１１０１へ出力する。セルＩＤ特定部５１３は、セルＩＤ情報をＣＲＳパターン特定部１１０１へ出力する。
【０１２５】
ＣＲＳパターン特定部１１０１は、同期信号検出部５１２から出力された同期信号系列情報が示すＰＳＳまたはＳＳＳに基づいて、基地局３００におけるＣＲＳの送信パターンを特定する。または、ＣＲＳパターン特定部１１０１は、セルＩＤ特定部５１３から出力されたセルＩＤ情報が示すセルＩＤに基づいて、基地局３００におけるＣＲＳの送信パターンを特定してもよい。
【０１２６】
たとえば、端末５００のメモリには、基地局３００に記憶された対応情報と同じ、同期信号の系列またはセルＩＤと、送信パターンと、の対応情報が記憶されている。ＣＲＳパターン特定部１１０１は、同期信号の系列またはセルＩＤと、対応情報と、に基づいて、基地局３００におけるＣＲＳの送信パターンを特定する。ＣＲＳパターン特定部１１０１は、特定した送信パターンを示すＣＲＳ配置情報を、ＣＨ推定部５１４、制御信号復調・復号部５１７、データ信号復調・復号部５１８および受信品質算出部５１９へ出力する。
【０１２７】
ＣＨ推定部５１４は、ＣＲＳパターン特定部１１０１から出力されたＣＲＳ配置情報に基づいて、受信部５１１から出力された信号に含まれるＣＲＳを検出し、検出したＣＲＳに基づく上りチャネルのチャネル推定を行う。
【０１２８】
制御信号復調・復号部５１７は、ＣＲＳパターン特定部１１０１から出力されたＣＲＳ配置情報に基づいて制御信号の復調および復号を行う。データ信号復調・復号部５１８は、ＣＲＳパターン特定部１１０１から出力されたＣＲＳ配置情報に基づいてデータ信号の復調および復号を行う。受信品質算出部５１９は、ＣＲＳパターン特定部１１０１から出力されたＣＲＳ配置情報に基づいて端末５００における受信品質を算出する。
【０１２９】
図１Ａ，図１Ｂに示した特定部１３３は、ＣＲＳパターン特定部１１０１によって実現することができる。図１Ａ，図１Ｂに示した第２検出部１３４は、ＣＨ推定部５１４、制御信号復調・復号部５１７、データ信号復調・復号部５１８および受信品質算出部５１９によって実現することができる。
【０１３０】
（実施の形態３にかかる基地局による処理）
図１２Ａは、実施の形態３にかかる基地局による処理の例１を示すフローチャートである。送信パターンをＰＳＳの系列と対応付ける場合は、基地局３００は、たとえば図１２Ａに示す各ステップを実行する。図１２Ａに示す各ステップは、たとえば基地局３００の起動時などに実行される。
【０１３１】
まず、基地局３００は、基地局３００（自局）のセルＩＤに応じて、基地局３００から送信するＰＳＳおよびＳＳＳの系列を決定する（ステップＳ１２１１）。つぎに、基地局３００は、ステップＳ１２１１によって決定したＰＳＳの系列に応じてＣＲＳの送信パターンを決定し（ステップＳ１２１２）、決定した送信パターンに基づくＣＲＳの送信を開始する。
【０１３２】
図１２Ｂは、実施の形態３にかかる基地局による処理の例２を示すフローチャートである。送信パターンをＳＳＳと対応付ける場合は、基地局３００は、たとえば図１２Ｂに示す各ステップを実行する。図１２Ｂに示す各ステップは、たとえば基地局３００の起動時などに実行される。
【０１３３】
まず、基地局３００は、基地局３００（自局）のセルＩＤに応じて、基地局３００から送信するＰＳＳおよびＳＳＳの系列を決定する（ステップＳ１２２１）。つぎに、基地局３００は、ステップＳ１２２１によって決定したＳＳＳの系列に応じてＣＲＳの送信パターンを決定し（ステップＳ１２２２）、決定した送信パターンに基づくＣＲＳの送信を開始する。
【０１３４】
図１２Ｃは、実施の形態３にかかる基地局による処理の例３を示すフローチャートである。送信パターンをセルＩＤと対応付ける場合は、基地局３００は、たとえば図１２Ｃに示す各ステップを実行する。図１２Ｃに示す各ステップは、たとえば基地局３００の起動時などに実行される。
【０１３５】
まず、基地局３００は、基地局３００（自局）のセルＩＤに応じて、基地局３００から送信するＰＳＳおよびＳＳＳの系列を決定する（ステップＳ１２３１）。つぎに、基地局３００は、基地局３００のセルＩＤに応じてＣＲＳの送信パターンを決定し（ステップＳ１２３２）、決定した送信パターンに基づくＣＲＳの送信を開始する。
【０１３６】
（実施の形態３にかかる端末による処理）
図１３Ａは、実施の形態３にかかる端末による処理の例１を示すフローチャートである。送信パターンをＰＳＳと対応付ける場合は、端末５００は、たとえば図１３Ａに示す各ステップを実行する。図１３Ａに示す各ステップは、たとえば端末５００の基地局３００への接続時などに実行される。
【０１３７】
まず、端末５００は、基地局３００から送信される無線信号に含まれるＰＳＳを検出する（ステップＳ１３１１）。つぎに、端末５００は、ステップＳ１３１１によって検出したＰＳＳに基づいて、基地局３００におけるＣＲＳの送信サブフレームを特定し（ステップＳ１３１２）、特定結果に基づいて端末５００からの無線信号からＣＲＳを検出する。
【０１３８】
図１３Ｂは、実施の形態３にかかる端末による処理の例２を示すフローチャートである。送信パターンをＳＳＳと対応付ける場合は、端末５００は、たとえば図１３Ｂに示す各ステップを実行する。図１３Ｂに示す各ステップは、たとえば端末５００の基地局３００への接続時などに実行される。
【０１３９】
まず、端末５００は、基地局３００から送信される無線信号に含まれるＰＳＳを検出する（ステップＳ１３２１）。また、端末５００は、基地局３００から送信される無線信号に含まれるＳＳＳを検出する（ステップＳ１３２２）。つぎに、端末５００は、ステップＳ１３２２によって検出したＳＳＳに基づいて、基地局３００におけるＣＲＳの送信サブフレームを特定し（ステップＳ１３２３）、特定結果に基づいて端末５００からの無線信号からＣＲＳを検出する。
【０１４０】
図１３Ｃは、実施の形態３にかかる端末による処理の例３を示すフローチャートである。送信パターンをセルＩＤと対応付ける場合は、端末５００は、たとえば図１３Ｃに示す各ステップを実行する。図１３Ｃに示す各ステップは、たとえば端末５００の基地局３００への接続時などに実行される。
【０１４１】
まず、端末５００は、基地局３００から送信される無線信号に含まれるＰＳＳを検出する（ステップＳ１３３１）。また、端末５００は、基地局３００から送信される無線信号に含まれるＳＳＳを検出する（ステップＳ１３３２）。つぎに、端末５００は、ステップＳ１３３１によって検出したＰＳＳの系列と、ステップＳ１３３２によって検出したＳＳＳの系列と、に基づいて基地局３００のセルＩＤを特定する（ステップＳ１３３３）。
【０１４２】
つぎに、端末５００はステップＳ１３３３によって特定したセルＩＤに基づいて、基地局３００におけるＣＲＳの送信サブフレームを特定し（ステップＳ１３３４）、特定結果に基づいて端末５００からの無線信号からＣＲＳを検出する。
【０１４３】
このように、実施の形態３によれば、基地局２１１〜２１３の間でＣＲＳ（特定信号）を格納するサブフレームをずらす構成において、基地局２１１〜２１３がＣＲＳを格納するサブフレームを同期信号の系列またはセルＩＤに対応付けることができる。これにより、ＣＲＳを格納する時間リソースを端末５００へ通知しなくても、端末５００は、検出した同期信号の系列またはセルＩＤからＣＲＳが格納された時間リソースを特定し、ＣＲＳを検出することができる。
【０１４４】
したがって、基地局２１１〜２１３がＣＲＳを格納する時間リソースをずらしてＣＲＳの衝突を抑えつつ、ＣＲＳを格納する時間リソースを端末５００へ通知するための制御情報を不要にすることができる。このため、端末５００へ送信する制御情報の削減を図ることができる。
【０１４５】
（ＰＳＳおよびＳＳＳとセルＩＤとの関係）
つぎに、ＰＳＳおよびＳＳＳとセルＩＤとの関係について説明する。ＬＴＥやＬＴＥ−Ａにおいては、セルＩＤは５０４種類ある。５０４種類のセルＩＤは、１６８種類のグループに分類され、さらにグループごとに３通りの識別子を有する。これを式で表すと、たとえばＮID（ｃｅｌｌ）＝３ＮID（１）＋ＮID（２）となる。
【０１４６】
ここで、ＮID（ｃｅｌｌ）はセルＩＤを示す。ＮID（１）は１６８種類のグループ（セルグループ）を示す。ＮID（２）は３通りの識別子を示す。これにより、５０４種類のセルＩＤを表現できる。ＬＴＥやＬＴＥ−Ａでは、ＰＳＳの系列と、ＳＳＳの系列とを対応付けることにより、ＰＳＳ、ＳＳＳの系列を特定すれば、セルＩＤも特定できるようになっている。
【０１４７】
（同期信号の系列）
つぎに、ＰＳＳの系列（ルート系列）について説明する。ＰＳＳの系列は、周波数領域のＺａｄｏｆｆ−Ｃｈｕ系列を用いて生成され、たとえば下記（１）式によって表すことができる。
【０１４８】
【数１】
0006020716.tif 000002
【０１４９】
ここで、ルートインデックスｕと、セルグループの識別子ＮID（２）と、が対応付けられている。端末は、ＰＳＳの系列をブラインド推定し、検出された系列からＮID（２）を特定することができる。
【０１５０】
つぎに、ＳＳＳの系列について説明する。ＳＳＳの系列は、たとえば下記（２）式によって表すことができる。ＳＳＳの系列は、長さ３１のバイナリ系列をインタリーブした構造となっており、ＰＳＳの系列で与えられるスクランブル系列（ｃ0（ｎ）、ｃ1（ｎ））を用いてスクランブルされている。
【０１５１】
【数２】
0006020716.tif 000003
【０１５２】
ｍ0およびｍ1は、ＮID（１）と対応付けられており、下記（３）式によって表すことができる。
【０１５３】
【数３】
0006020716.tif 000004
【０１５４】
図１４は、系列とセルグループとの関係の一例を示す図である。図１４に示すテーブル１４００は、上記（３）式によるｍ0およびｍ1とＮID（１）との関係を示している。また、ｓ0（ｍ0）（ｎ）は、ｍ系列＾ｓ（ｎ）をサイクリックシフトすることによって生成される。すなわち、ｓ0（ｍ0）（ｎ）は、下記（４）式によって表すことができる。
【０１５５】
【数４】
0006020716.tif 000005
【０１５６】
また、ｍ系列＾ｓ（ｎ）は、下記（５）式によって表すことができる。
【０１５７】
【数５】
0006020716.tif 000006
【０１５８】
なお、初期状態においては、ｘ（０）＝０、ｘ（１）＝０、ｘ（２）＝０、ｘ（３）＝０、ｘ（４）＝１となる。
【０１５９】
つぎに、ｃ0（ｎ）およびｃ1（ｎ）について説明する。ｃ0（ｎ）およびｃ1（ｎ）は、ＰＳＳの系列に依存するスクランブル系列であり、ｍ系列＾ｓ（ｎ）のサイクリックシフトとして表される。すなわち、ｃ0（ｎ）およびｃ1（ｎ）は、たとえば下記（６）式によって表すことができる。
【０１６０】
【数６】
0006020716.tif 000007
【０１６１】
＾ｃ（ｎ）は、ｍ系列＾ｓ（ｎ）と同様に＾ｃ（ｉ）＝１−２ｘ（ｉ）と表されるが、ｘ（ｉ）が下記（７）式のようになる点でｍ系列＾ｓ（ｎ）と異なる。
【０１６２】
【数７】
0006020716.tif 000008
【０１６３】
つぎに、ｚ1（ｍ0）（ｎ）およびｚ1（ｍ1）（ｎ）について説明する。ｚ1（ｍ0）（ｎ）およびｚ1（ｍ1）（ｎ）もｍ系列＾ｓ（ｎ）をサイクリックシフトすることにより生成され、たとえば下記（８）式によって表すことができる。
【０１６４】
【数８】
0006020716.tif 000009
【０１６５】
＾ｚ（ｎ）も、ｍ系列＾ｓ（ｎ）と同様に＾ｚ（ｉ）＝１−２ｘ（ｉ）と表されるが、ｘ（ｉ）が下記（９）式のようになる点でｍ系列＾ｓ（ｎ）と異なる。
【０１６６】
【数９】
0006020716.tif 000010
【０１６７】
端末において、ＳＳＳの系列の生成メカニズム（ｍ系列やＰＳＳによるスクランブリングなど）は既知であるため、これらの情報に基づいて、ｍ0およびｍ1を特定し、ＮID（１）を導出することができる。そして、ＮID（１）およびＮID（２）に基づいてＮID（ｃｅｌｌ）を導出することができる。
【０１６８】
以上説明したように、通信システム、送信局、受信局および通信方法によれば、制御情報の削減を図ることができる。
【０１６９】
上述した各実施の形態に関し、さらに以下の付記を開示する。
【０１７０】
（付記１）自局の識別情報に応じた系列の同期信号を周期的なリソースに割り当て、前記同期信号の系列に応じたリソースに特定信号を割り当てた無線信号を送信する送信局と、
前記送信局によって送信された無線信号から前記同期信号を検出し、検出した同期信号の系列に基づいて前記特定信号が割り当てられたリソースを特定し、特定したリソースに基づいて前記無線信号から前記特定信号を検出する受信局と、
を含むことを特徴とする通信システム。
【０１７１】
（付記２）前記送信局は、前記同期信号の系列に応じたシフト量によって前記無線信号のサブフレームをシフトさせることにより、前記同期信号の系列に応じたリソースに特定信号を割り当て、
前記受信局は、前記検出した同期信号の系列に基づいて前記シフト量を特定し、特定したシフト量に基づいて前記特定信号が割り当てられたリソースを特定する、
ことを特徴とする付記１に記載の通信システム。
【０１７２】
（付記３）前記特定信号は物理報知チャネルであることを特徴とする付記２に記載の通信システム。
【０１７３】
（付記４）前記送信局および前記受信局は、前記同期信号の系列と前記シフト量との対応情報を共有し、
前記送信局は、前記同期信号の系列および前記対応情報に基づくシフト量によって前記無線信号のサブフレームをシフトさせ、
前記受信局は、前記同期信号の系列および前記対応情報に基づいて前記シフト量を特定する、
ことを特徴とする付記２または３に記載の通信システム。
【０１７４】
（付記５）前記受信局は、前記特定したシフト量に基づいて、他のセルとの間で協調通信を行うことを特徴とする付記２〜４のいずれか一つに記載の通信システム。
【０１７５】
（付記６）前記送信局は、前記同期信号の系列に応じたサブフレームに前記特定信号を割り当て、
前記受信局は、前記検出した同期信号の系列に基づいて、前記特定信号が割り当てられたサブフレームを特定し、特定したサブフレームから前記特定信号を検出する、
ことを特徴とする付記１に記載の通信システム。
【０１７６】
（付記７）前記特定信号はセル固有参照信号であることを特徴とする付記６に記載の通信システム。
【０１７７】
（付記８）前記送信局および前記受信局は、前記同期信号の系列と前記サブフレームとの対応情報を共有し、
前記送信局は、前記同期信号の系列および前記対応情報に基づくサブフレームに前記特定信号を割り当て、
前記受信局は、前記同期信号の系列および前記対応情報に基づいて、前記特定信号が割り当てられたサブフレームを特定する、
ことを特徴とする付記６または７に記載の通信システム。
【０１７８】
（付記９）前記同期信号はプライマリ同期信号を含み、
前記送信局は前記プライマリ同期信号の系列に応じたリソースに前記特定信号を割り当て、
前記受信局は、前記検出したプライマリ同期信号の系列に基づいて前記特定信号が割り当てられたリソースを特定する、
ことを特徴とする付記１〜８のいずれか一つに記載の通信システム。
【０１７９】
（付記１０）前記同期信号はセカンダリ同期信号を含み、
前記送信局は前記セカンダリ同期信号の系列に応じたリソースに前記特定信号を割り当て、
前記受信局は、前記検出したセカンダリ同期信号の系列に基づいて前記特定信号が割り当てられたリソースを特定する、
ことを特徴とする付記１〜８のいずれか一つに記載の通信システム。
【０１８０】
（付記１１）自局の識別情報に応じた系列の同期信号を周期的なリソースに割り当て、前記識別情報に応じたリソースに特定信号を割り当てた無線信号を送信する送信局と、
前記送信局によって送信された無線信号から前記同期信号を検出し、検出した同期信号の系列に基づいて前記送信局の識別情報を特定し、特定した識別情報に基づいて前記特定信号が割り当てられたリソースを特定し、特定したリソースに基づいて前記無線信号から前記特定信号を検出する受信局と、
を含むことを特徴とする通信システム。
【０１８１】
（付記１２）前記同期信号は、プライマリ同期信号およびセカンダリ同期信号を含み、
前記受信局は、検出したプライマリ同期信号およびセカンダリ同期信号の各系列に基づいて前記送信局の識別情報を特定する、
ことを特徴とする付記１１に記載の通信システム。
【０１８２】
（付記１３）自局の識別情報に応じた系列の同期信号を周期的なリソースに割り当て、前記同期信号の系列に応じたリソースに特定信号を割り当てる割当部と、
前記割当部による割当結果に基づく無線信号を送信する送信部と、
を備えることを特徴とする送信局。
【０１８３】
（付記１４）自局の識別情報に応じた系列の同期信号を周期的なリソースに割り当て、前記識別情報に応じたリソースに特定信号を割り当てる割当部と、
前記割当部による割当結果に基づく無線信号を送信する送信部と、
を備えることを特徴とする送信局。
【０１８４】
（付記１５）送信局の識別情報に応じた系列の同期信号を周期的なリソースに割り当て、前記同期信号の系列に応じたリソースに特定信号を割り当てた無線信号を送信する前記送信局からの前記無線信号を受信する受信部と、
前記受信部によって受信された無線信号から前記同期信号を検出する第１検出部と、
前記第１検出部によって検出された同期信号の系列に基づいて前記特定信号が割り当てられたリソースを特定する特定部と、
前記特定部によって特定されたリソースに基づいて前記無線信号から前記特定信号を検出する第２検出部と、
を備えることを特徴とする受信局。
【０１８５】
（付記１６）送信局の識別情報に応じた系列の同期信号を周期的なリソースに割り当て、前記識別情報の系列に応じたリソースに特定信号を割り当てた無線信号を送信する前記送信局からの前記無線信号を受信する受信部と、
前記受信部によって受信された無線信号から前記同期信号を検出する第１検出部と、
前記第１検出部によって検出された同期信号の系列に基づいて前記送信局の識別情報を特定し、特定した識別情報に基づいて前記特定信号が割り当てられたリソースを特定する特定部と、
前記特定部によって特定されたリソースに基づいて前記無線信号から前記特定信号を検出する第２検出部と、
を備えることを特徴とする受信局。
【０１８６】
（付記１７）送信局により、前記送信局の識別情報に応じた系列の同期信号を周期的なリソースに割り当て、前記同期信号の系列に応じたリソースに特定信号を割り当てた無線信号を送信し、
受信局により、前記送信局によって送信された無線信号から前記同期信号を検出し、検出した同期信号の系列に基づいて前記特定信号が割り当てられたリソースを特定し、特定したリソースに基づいて前記無線信号から前記特定信号を検出する、
ことを特徴とする通信方法。
【０１８７】
（付記１８）送信局により、前記送信局の識別情報に応じた系列の同期信号を周期的なリソースに割り当て、前記識別情報に応じたリソースに特定信号を割り当てた無線信号を送信し、
受信局により、前記送信局によって送信された無線信号から前記同期信号を検出し、検出した同期信号の系列に基づいて前記送信局の識別情報を特定し、特定した識別情報に基づいて前記特定信号が割り当てられたリソースを特定し、特定したリソースに基づいて前記無線信号から前記特定信号を検出する、
ことを特徴とする通信方法。
【符号の説明】
【０１８８】
１００  通信システム
１１０，１２０  送信局
１１１  割当部
１１２，３２９，５２５  送信部
１３０  受信局
１３１，３１１，５１１  受信部
１３２  第１検出部
１３３  特定部
１３４  第２検出部
２０１  ＤＬ＿ＣＣＨ
２０２  ＰＤＳＣＨ
２０３  ＭＢＳＦＮ
２１１〜２１３，３００，９１１〜９１５  基地局
２２１〜２２３，９２１〜９２５  無線信号
３０１，５０１  アンテナ
３０２，５０２  Ｔｘ／Ｒｘ切替部
３１２，５１４  ＣＨ推定部
３１３，５１７  制御信号復調・復号部
３１４，５１８  データ信号復調・復号部
３１５，５１９  受信品質算出部
３２１  スケジューラ
３２２，５２１  データ信号生成部
３２３，５２２  制御信号生成部
３２４，５２３  ＲＳ生成部
３２５  同期信号生成部
３２６  シフト付加部
３２７  報知信号生成部
３２８，５２４  割当・配置部
４００，６００  通信装置
４０１，６０１  プロセッサ
４０２，６０２  メモリ
４０３，６０３  アナログ回路
４０４，６０４  デジタル回路
４０５，６０５  無線Ｉ／Ｆ
４０６  伝送網Ｉ／Ｆ
５００  端末
５１２  同期信号検出部
５１３  セルＩＤ特定部
５１５  報知信号検出部
５１６  シフト量特定部
１００１  ＣＲＳパターン決定部
１１０１  ＣＲＳパターン特定部
【図１Ａ】
0006020716.tif 000011
【図１Ｂ】
0006020716.tif 000012
【図２Ａ】
0006020716.tif 000013
【図２Ｂ】
0006020716.tif 000014
【図３】
0006020716.tif 000015
【図４】
0006020716.tif 000016
【図５】
0006020716.tif 000017
【図６】
0006020716.tif 000018
【図７Ａ】
0006020716.tif 000019
【図７Ｂ】
0006020716.tif 000020
【図７Ｃ】
0006020716.tif 000021
【図８Ａ】
0006020716.tif 000022
【図８Ｂ】
0006020716.tif 000023
【図８Ｃ】
0006020716.tif 000024
【図９】
0006020716.tif 000025
【図１０】
0006020716.tif 000026
【図１１】
0006020716.tif 000027
【図１２Ａ】
0006020716.tif 000028
【図１２Ｂ】
0006020716.tif 000029
【図１２Ｃ】
0006020716.tif 000030
【図１３Ａ】
0006020716.tif 000031
【図１３Ｂ】
0006020716.tif 000032
【図１３Ｃ】
0006020716.tif 000033
【図１４】
0006020716.tif 000034